(57)【要約】      （修正有）【課題】揮発性薬剤を用いた部位から発生する気体の拡散を抑制できる吸引テーブルを提供する。【解決手段】検体臓器を適切な大きさに切り出す作業をおこなう。俎板を介して検体臓器を第１支持板１１上に載置する。作業時に、有害気体が発生し、第１支持板１１上の全面に拡散する。一方、排風機５２を作動させると、排気ダクト５１、第２整流機構、風箱３１、第１整流機構を介して、通風経路が形成される。第１整流機構により、第１支持板１１上の有害気体は、均等に下方吸引誘導される。第２整流機構により、風箱３１内の有害気体は均等に吸引誘導され、排気ダクト５１より排気される。また、給水栓６１，第２支持板７１，シンク８１，排水トラップ８６等の給水・排水機構を備えることで、通常時の第１支持板１１の洗浄が容易である。【選択図】図１
2014040949.tif 000002
【特許請求の範囲】
【請求項１】
揮発性薬剤を用いた部位を載置する際に、部位から発生する気体を吸引する吸引テーブルであって、
メイン吸引口を形成する多数の通気孔が全面に設けられた平板であって、前記部位を載置する第１支持板と、
前記第１支持板の直下の空間に設けられ、前記第１支持板上の気体を下方吸引誘導する第１整流機構と、
前記第１整流機構の風下側に連通する風箱と、
前記風箱内に設けられ、前記風箱内の気体を吸引誘導する第２整流機構と、
前記第２整流機構の風下側に連通し、外部の排風機と接続可能な排気ダクトと
を備えることを特徴とする吸引テーブル。
【請求項２】
前記第１整流機構は、
通風方向の長さが異なる複数の平板を有し、
前記複数の平板の風下側端面を揃え、
長い平板を下方に、短い平板を上方に、長さ順に、かつ、
平板間寸法が下方から上方に向かって狭くなるように配置して
構成されていることを特徴とする請求項１記載の吸引テーブル。
【請求項３】
前記第２整流機構は、
通風方向の長さが異なる複数の平板を有し、
前記複数の平板の風下側端面を揃え、
前記排気ダクトにより上方吸引誘導する場合、短い平板を下方に、長い平板を上方に、長さ順に、かつ、
平板間寸法が下方から上方に向かって広くなるように配置して
構成されていることを特徴とする請求項１記載の吸引テーブル。
【請求項４】
前記風箱の前記第１整流機構の風下側に連通する側面は、前記第１支持板より上に位置する風箱上側側面部を有し、
前記風箱上側側面部に、前記第１支持板上の気体を側方吸引誘導するサブ吸引口と、
前記風箱内部に、前記メイン吸引口からの気体と前記サブ吸引口からの気体とを仕切る仕切り板と
を備えることを特徴とする請求項１記載の吸引テーブル。
【請求項５】
前記サブ吸引口は、スライドドア式の風量調整機構を有する
ことを特徴とする請求項４記載の吸引テーブル。
【請求項６】
前記第１支持板の脇に設けられ、該第１支持板に給水する給水機構と、
多数の通水孔が全面に設けられた平板であって、前記第１整流機構を下方から支持する第２支持板と、
前記第２支持板の直下に設けられ、最深部に向かって低くなるようなテーパーを有するシンクと、
前記シンクの最深部と連通する排水トラップと
を更に備えることを特徴とする請求項１記載の吸引テーブル。
【請求項７】
前記第１支持板は、取外し自在であり、
前記第１整流機構は、透明または半透明な材質により構成される
ことを特徴とする請求項６記載の吸引テーブル。
【請求項８】
前記第１支持板の外縁部は、該第１支持板に向かって低くなるようなテーパーを有する
ことを特徴とする請求項６記載の吸引テーブル。
【請求項９】
揮発性薬剤を用いた部位を載置する際に、部位から発生する気体を吸引する吸引テーブルであって、
メイン吸引口を形成する多数の通気孔が全面に設けられたテーブル天面と、
前記テーブル天面直下のテーブル内部空間に設けられ、前記テーブル天面上の気体を下方吸引誘導する整流機構と、
前記整流機構の風下側に連通し、外部の排風機と接続可能な排気ダクトと
を備えることを特徴とする吸引テーブル。
【請求項１０】
揮発性薬剤を用いた部位を載置する際に、部位から発生する気体を吸引する吸引台であって、
メイン吸引口を形成する多数の通気孔が全面に設けられた台天面と、
前記台天面直下の内部空間に設けられ、前記台天面上の気体を下方吸引誘導する整流機構と、
前記整流機構の風下側に連通し、外部の排風機と接続可能な排気ダクトと
を備えることを特徴とする吸引台。
【発明の詳細な説明】
【技術分野】
【０００１】
本発明は揮発性薬剤を用いた部位から発生する気体を吸引する吸引テーブル関する。
【背景技術】
【０００２】
たとえば、病院の病理検査において、ホルマリンに浸して固定（細胞組織形態が変化するのを防止）した検体臓器を適切な大きさに切り出す作業が行われている。切り出し作業の際、ホルマリンからホルムアルデヒドが揮発する。
【０００３】
一方、特定化学物質障害予防規則が改正され、例えばホルムアルデヒドや１，３−ブタンジエン、硫酸ジエチルの取扱いには大きな注意が要求されるようになった。病理検査室内においても、ホルムアルデヒドが拡散しないことが求められている。例えばドラフトチャンバー（特許文献１参照）内での作業が求められている。
【先行技術文献】
【特許文献】
【０００４】
【特許文献１】特開２０１２−０２１７５２号公報
【発明の概要】
【発明が解決しようとする課題】
【０００５】
しかしながら、ドラフトチャンバー内の切り出し作業は作業性が悪く、また、切り出しテーブルを備えていない場合も多い。ドラフトチャンバーを用いず、室内に設備された切り出しテーブルを用いた作業では、ホルムアルデヒドが室内に拡散することになる。
【０００６】
本発明は、上記課題を解決するものであり、揮発性薬剤を用いた部位から発生する気体の拡散を抑制できる吸引テーブルを提供することを目的とする。
【課題を解決するための手段】
【０００７】
上記課題を解決するために、本発明は、揮発性薬剤を用いた部位を載置する際に、部位から発生する気体を吸引する吸引テーブルであって、メイン吸引口を形成する多数の通気孔が全面に設けられた平板であって、前記部位を載置する第１支持板と、前記第１支持板の直下の空間に設けられ、前記第１支持板上の気体を下方吸引誘導する第１整流機構と、前記第１整流機構の風下側に連通する風箱と、前記風箱内に設けられ、前記風箱内の気体を吸引誘導する第２整流機構と、前記第２整流機構の風下側に連通し、外部の排風機と接続可能な排気ダクトとを備えることを特徴とする。
【０００８】
切り出す作業をおこなうため、部位を第１支持板上に載置する。作業時に、有害気体が発生し、第１支持板上の全面に拡散する。一方、外部の排風機を作動させると、排気ダクト、第２整流機構、風箱、第１整流機構を介して、通風経路が形成される。第１整流機構により、第１支持板上の有害気体は、均等に風箱へ下方吸引誘導される。第２整流機構により、風箱内の有害気体は均等に吸引誘導され、排気ダクトより排気される。これにより、有害気体の拡散を抑制できる。
【０００９】
上記発明において、好ましくは、前記第１整流機構は、通風方向の長さが異なる複数の平板を有し、前記複数の平板の風下側端面を揃え、長い平板を下方に、短い平板を上方に、長さ順に、かつ、平板間寸法が下方から上方に向かって狭くなるように配置して構成されている。
【００１０】
これにより、各通風経路の通風抵抗は均等となり、第１支持板上の有害気体を均等下方吸引誘導できる。
【００１１】
上記発明において、好ましくは、前記第２整流機構は、通風方向の長さが異なる複数の平板を有し、前記複数の平板の風下側端面を揃え、前記排気ダクトにより上方吸引誘導する場合、短い平板を下方に、長い平板を上方に、長さ順に、かつ、平板間寸法が下方から上方に向かって広くなるように配置して構成されている。
【００１２】
これにより、各通風経路の通風抵抗は均等となり、風箱内の有害気体を均等下方吸引誘導できる。
【００１３】
上記発明において、好ましくは、前記風箱の前記第１整流機構の風下側に連通する側面は、前記第１支持板より上に位置する風箱上側側面部を有し、前記風箱上側側面部に、前記第１支持板上の気体を側方吸引誘導するサブ吸引口と、前記風箱内部に、前記メイン吸引口からの気体と前記サブ吸引口からの気体とを仕切る仕切り板とを備える。
【００１４】
これにより、メイン吸引口による下方吸引誘導では不十分である場合にも、サブ吸引口による側方吸引誘導により、対応できる。
【００１５】
上記発明において、好ましくは、前記サブ吸引口は、スライドドア式の風量調整機構を有する。
【００１６】
これにより、スライドドアの開閉量を調整することで、整流機構と同様に効果を期待できる。
【００１７】
上記発明において、好ましくは、前記第１支持板の脇に設けられ、該第１支持板に給水する給水機構と、多数の通水孔が全面に設けられた平板であって、前記第１整流機構を下方から支持する第２支持板と、前記第２支持板の直下に設けられ、最深部に向かって低くなるようなテーパーを有するシンクと、前記シンクの最深部と連通する排水トラップとを更に備える。
【００１８】
これにより、切り出し作業終了後、第１支持板１１の表面を容易に洗浄できる。
【００１９】
上記発明において、好ましくは、前記第１支持板は、取外し自在であり、前記第１整流機構は、透明または半透明な材質により構成される。
【００２０】
これにより、経時による内部の汚れを確認し、汚れている場合には容易に洗浄できる。
【００２１】
上記発明において、好ましくは、前記第１支持板の外縁部は、該第１支持板に向かって低くなるようなテーパーを有する。
【００２２】
これにより、切り出し作業の支障になることはない。一方、洗浄作業時に、水が第１支持板外にこぼれることはない。
【００２３】
上記課題を解決するために、本発明は、揮発性薬剤を用いた部位を載置する際に、部位から発生する気体を吸引する吸引テーブルであって、メイン吸引口を形成する多数の通気孔が全面に設けられたテーブル天面と、前記テーブル天面直下のテーブル内部空間に設けられ、前記テーブル天面上の気体を下方吸引誘導する整流機構と、前記整流機構の風下側に連通し、外部の排風機と接続可能な排気ダクトとを備えることを特徴とする。
【００２４】
上記課題を解決するために、本発明は、揮発性薬剤を用いた部位を載置する際に、部位から発生する気体を吸引する吸引台であって、メイン吸引口を形成する多数の通気孔が全面に設けられた台天面と、前記台天面直下の内部空間に設けられ、前記台天面上の気体を下方吸引誘導する整流機構と、前記整流機構の風下側に連通し、外部の排風機と接続可能な排気ダクトとを備えることを特徴とする。
【発明の効果】
【００２５】
本発明の吸引テーブルによれば、揮発性薬剤を用いた部位から発生する気体の拡散を抑制できる。
【図面の簡単な説明】
【００２６】
【図１】全体斜視図
【図２】全体平面図
【図３】全体正面図
【図４】全体側面図
【図５】A−A断面図
【図６】B−B断面図
【図７】（ａ）第１整流機構の斜視図（ｂ）平面図（ｃ）標準断面図
【図８】第１支持板の外縁の詳細断面図
【図９】第１整流機構の動作説明図（ａ）平面図（ｂ）断面図
【図１０】第２整流機構の動作説明図（ａ）長手方向断面図（ｂ）短手方向断面図
【図１１】変形例の全体斜視図
【発明を実施するための形態】
【００２７】
〜構成〜
図１は吸引テーブルの全体斜視図であり、図２は全体平面図であり、図３は全体正面図であり、図４は全体側面図であり、図５はA−A(風箱直交方向)断面図であり、図６はＢ−Ｂ(風箱長手方向)断面図であり、
吸引テーブルは、筐体１と４つの脚２から構成される。筐体１には吸引機能の主要構成が内包されている。脚２は、３本以上で筐体１を安定的に支持できれば、本数は限定されない。筐体１はテーブルの天板に相当する。
【００２８】
吸引テーブルは、主要構成として、第１支持板１１と、第１整流機構２１と、風箱３１と、第２整流機構４１と、排気ダクト５１と、スライドドア３６と、仕切り板３７と、給水栓６１と、第２支持板７１と、シンク８１と、排水トラップ８６とを備える。
【００２９】
第１支持板１１は、部位を支持する。具体的には、俎板を載置し、俎板の上に部位を載置する。第１支持板１１は、パンチングメタルとよばれる全面に打ち抜き加工された金属板であり、多数の通気孔１２がメイン吸引口１３を形成する。第１支持板１１の外周には係止部１４が設けられている。一方、筐体１内壁上部にも、内側に突出した係止板６が全周に設けられている。係止部１４が係止板６に係止される（後述図８参照）ことにより、第１支持板１１は、筐体１内に支持される。
【００３０】
また、第１支持板１１には、回転取手１５が設けられており、回転取手１５を掴むことにより取外し可能である。さらに、第１支持板１１を複数に分割すれば、取外し容易となる。
【００３１】
第１整流機構２１は、第１支持板１１の直下の空間に設けられ、第２支持板７１に支持される。第１支持板１１上の気体を均等となるように下方吸引誘導する。
【００３２】
図７（ａ）は、第１整流機構の斜視図、図７（ｂ）は平面図、図７（ｃ）は標準断面である。第１整流機構２１は、通風方向の長さが異なる複数の平板２２〜２４から構成される。平板２２〜２４風下側端面は、通風方向垂直に想定される基準面に揃えられている。
【００３３】
最も長い板２２を最下方に、中程度に長い板２３を中間位置に、最も短い板２４を最上方に配置する。すなわち、下方ほど通風経路が長くなり、上方ほど通風経路が短くなる。
【００３４】
一方、第２支持板７１と平板２２との間に形成される空間２５、平板２２と平板２３との間に形成される空間２６、平板２３と平板２４との間に形成される空間２７、平板２４と仕切り板３７との間に形成される空間２８の順に断面が狭くなる。図５に寸法を例示する。
【００３５】
通風抵抗は、通風経路長と通風断面積に基づいて設定されるため、第１整流機構２１の上記構成により、各通風経路の通風抵抗は均等となり、第１整流機構２１は、第１支持板１１上の気体を均等となるように下方吸引誘導する(動作にて詳述)。
【００３６】
また、第１整流機構２１は、透明または半透明な材質、たとえば、ＰＶＣ（ポリ塩化ビニル）により構成されることが好ましい。さらに、第１整流機構２１は、第２支持板７１に支持されるのみで、他に拘束されず、取外し容易であることが好ましい。ただし、適正位置に配置されるように、位置決めストッパー９に係止される。また、第１整流機構２１は取り出し容易なように、通風方向並列に３分割されている。なお、図７は分割パーツの図面である。
【００３７】
風箱３１は、第１整流機構２１の風下側に連通する中空の直方体である。風箱３１の第１整流機構２１の風下側に連通する側面は、上側側面部３２と下側側面部３３とから構成される。下側側面部３３は開放されており（開口部が形成されており）、第１整流機構２１を通過した気体が風箱３１内に吸引誘導される。
【００３８】
上側側面部３２には、スライドドア３６が設けられている。スライドドア３６は、ドアの開閉量により吸引風量を調整する風量調整機構を有し、第１支持板１１上の気体を側方吸引誘導し、サブ吸引口３４を形成する。さらに、風箱３１内部には、メイン吸引口１３からの気体とサブ吸引口３４からの気体とを仕切るＬ字状の仕切り板３７が設けられている。なお、スライドドア３６に替えてパンチングメタルとしてもよい。その場合は、サブ吸引口用の整流機構が必要になる。
【００３９】
風箱３１上面の一端には、排気ダクト５１が連設されている。
【００４０】
風箱３１内には第２整流機構４１が設けられ、風箱３１内の気体を均等となるように排気ダクト５１へ吸引誘導する。
【００４１】
第２整流機構４１は、通風方向の長さが異なる複数の平板４２〜４５から構成される。平板４２〜４５風下側端面は、通風方向中心線に対し垂直に想定される基準面に揃えられている。風箱３１内の通風方向中心線と排気ダクト５１の通風方向中心線は、略直角に交差し、通風方向中心線は、隅角部にて滑らかに連続する。
【００４２】
最も短い板４２を最下方に、次に短い板４３を平板４２の上方に、次に短い板４４を平板４３の上方に、最も長い板４５を最上方に配置する。すなわち、上方ほど通風経路が長くなり、下方ほど通風経路が短くなる。また、平板４２〜４５をそれぞれ所定長とすることで、平板４２〜４５風上側端面は、別の基準面に揃えられている。
【００４３】
ただし、排気ダクト５１が風箱３１下面の端に連設され、下方吸引誘導する場合、第２整流機構４１の構成は上下逆になる。
【００４４】
一方、仕切り板３７と平板４２との間に形成される空間４６、平板４２と平板４３との間に形成される空間４７、平板４３と平板４４との間に形成される空間４８、平板４４と平板４５との間に形成される空間４９、平板４５と仕切り板３７との間に形成される空間５０の順に断面が広くなる。図５に寸法を例示する。
【００４５】
通風抵抗は、通風経路長と通風断面積に基づいて設定されるため、第２整流機構４１の上記構成により、各通風経路の通風抵抗は均等となり、第２整流機構４１は、風箱３１内の気体を均等となるように排気ダクト５１へ吸引誘導する(動作にて詳述)。
【００４６】
排気ダクト５１は第２整流機構４１の風下側に連通しており、外部の排風機５２と接続することにより上方吸引誘導する。排気ダクト５１には、排気風量調整のためのダンパー５３と吸引圧力測定のための測定口５４が設けられている。
【００４７】
給水栓６１は、第１支持板１１の脇に設けられ、外部の給水ホースと接続することにより第１支持板１１に給水する。
【００４８】
第２支持板７１は、第１整流機構２１を下方より支持する。第２支持板７１は、パンチングメタルとよばれる全面に打ち抜き加工された金属板であり、多数の通水孔７２が設けられている。第２支持板７１は脚部７３を有し、脚部７３がシンク８１底部に載置される。
【００４９】
シンク８１は、筐体１の下部において第２支持板７１の直下に位置する空間であり、最深部に向かって低くなるようなテーパー８２を有する。排水トラップ８６はシンク８１の最深部と連通する。外部の排水ホースと接続することにより第１支持板１１に給水された水を排水する。
【００５０】
図８は、第１支持板１１の外縁の詳細断面図である。すなわち、筐体１は、第１支持板１１、第１整流機構２１、第２支持板７１を取り外すと、上方が開放され中空のプール構造になっている。筐体１上面の第１支持板１１外縁に形成される外縁部７は、第１支持板１１に向かって低くなるようなテーパー８を有する。
【００５１】
〜動作〜
本実施形態の吸引テーブルの動作（使用例）について説明する。部位切り出し作業時、通常の洗浄作業時、経時の洗浄作業時の各動作について説明する。
【００５２】
・吸引動作
病院の病理検査において、ホルマリンに浸して固定した検体臓器を適切な大きさに切り出す作業をおこなう。俎板を介して検体臓器を第１支持板１１上に載置する。切り出し作業の際、ホルムアルデヒドを含む有害気体が発生し、第１支持板１１上の全面に拡散する。
【００５３】
一方、排風機５２を作動させると、排気ダクト５１、第２整流機構４１、風箱３１、第１整流機構２１を介して、通風経路が形成される。
【００５４】
図９は、第１整流機構２１の動作説明図である。有害気体は、第１支持板１１上の全面に拡散する。説明の便宜のために、第１支持板１１上をエリアＡ〜Ｄに分割する。なお、実際には、エリアＡ〜Ｄは互いに連続し、明確に分割されているわけではない。
【００５５】
エリアＡの有害気体は、空間２８を通過する通風経路ａを経て、風箱３１に導かれる。エリアＢの有害気体は、空間２７を通過する通風経路ｂを経て、風箱３１に導かれる。エリアＣの有害気体は、空間２６を通過する通風経路ｃを経て、風箱３１に導かれる。エリアＤの有害気体は、空間２５を通過する通風経路ｄを経て、風箱３１に導かれる。
【００５６】
このとき、通風経路長が長くなると通風抵抗は増し、通風断面積が広くなると通風抵抗は減る。本実施形態においては、通風経路ａの経路長は最も短く、空間２８の断面積は最も狭いのに対し、通風経路ｄの経路長は最も長く、空間２５の断面積は最も広い。トレードオフの関係により、通風経路ａ〜ｄの通風抵抗は均等となる。その結果、エリアＡ〜Ｄの有害気体は、均等に吸引される。
【００５７】
図１０は、第２整流機構４１の動作説明図である。有害気体は、第１整流機構２１により風箱開口部３３に均等に導かれる。説明の便宜のために、風箱開口部３３をエリアＥ〜Ｉに分割する。なお、実際には、エリアＥ〜Ｉは互いに連続し、明確に分割されているわけではない。
【００５８】
エリアＥの有害気体は、空間４６を通過する通風経路ｅを経て、排気ダクト５１に導かれる。エリアＦの有害気体は、空間４７を通過する通風経路ｆを経て、排気ダクト５１に導かれる。エリアＧの有害気体は、空間４８を通過する通風経路ｇを経て、排気ダクト５１に導かれる。エリアＨの有害気体は、空間４９を通過する通風経路ｈを経て、排気ダクト５１に導かれる。エリアＩの有害気体は、空間５０を通過する通風経路ｉを経て、排気ダクト５１に導かれる。
【００５９】
このとき、通風経路長が長くなると通風抵抗は増し、通風断面積が広くなると通風抵抗は減る。本実施形態においては、通風経路ｅの経路長は最も短く、空間４６の断面積は最も狭いのに対し、通風経路ｉの経路長は最も長く、空間５０の断面積は最も広い。トレードオフの関係により、通風経路ｅ〜ｉの通風抵抗は均等となる。その結果、エリアＥ〜Ｉの有害気体は、排気ダクト５１に均等に吸引誘導される。
【００６０】
以上、メイン吸引口１３の動作について説明したが、補助的にサブ吸引口３４を用いてもよい。
【００６１】
サブ吸引口３４には、スライドドア３６が設けられており、メイン吸引口１３の動作だけで支障がないときは、スライドドア３６を閉じておく。ホルムアルデヒドは空気より重いが揮発性があるため、上方拡散するおそれもある。また、空気より軽い有害気体の場合、メイン吸引口１３による下方吸引では不十分であるおそれもある。状況に応じて、スライドドア３６を開き、第１支持板１１上の気体をサブ吸引口３４より側方吸引誘導する。
【００６２】
サブ吸引口３４により吸引された有害気体は、仕切り板３７により仕切られた空間を通過して、排気ダクト５１に吸引誘導される。
【００６３】
スライドドア３６は、排気ダクト５１に近い位置に設けられるスライドドア３６ａと排気ダクト５１に遠い位置に設けられるスライドドア３６ｂとから構成される。スライドドア３６ａよりスライドドア３６ｂの開閉量を多くすると、トレードオフの関係により、通風抵抗は均等となり、整流機構と同様に動作する。
【００６４】
・洗浄動作(通常時)
切り出し作業中にホルマリンが第１支持板１１表面に付着するおそれもあり、作業終了後、第１支持板１１を洗浄する。第１支持板１１の脇に設けられた給水栓６１より、第１支持板１１に給水する。ブラシ等で第１支持板１１全面に水を拡散するともに、ブラシ等で擦って汚れを洗浄する。
【００６５】
このとき、テーパー８により、水が第１支持板１１外にこぼれることはない。
【００６６】
第１支持板１１上の水は、通気孔１２を通過して落下し、更に、第２支持板７１の通水孔７２を通過して落下し、シンク８１に導かれる。シンク８１はテーパー８２を有し、水を排水トラップ８６に集め、排水する。
【００６７】
このように、切り出し作業終了後、第１支持板１１表面の汚れを容易に洗浄できる。
【００６８】
・洗浄動作(経時時)
上記の様に、通常の洗浄作業は、第１支持板１１表面のみでよい。しかし、洗浄後の排水にも汚れが含まれており、何度か通常の使用を繰り返しているうち、筐体１内部も経時的に汚れてくる。特に、第１整流機構２１に汚れが析出して付着すると、通風抵抗になり、第１整流機構２１の機能を阻害する。
【００６９】
そこで、何度かに一度の使用割合で、第１支持板１１を取外し、開口から第１整流機構２１の汚れ具合を確認する。第１整流機構２１は透明または半透明であり、目視で汚れ具合を確認できる。汚れていないと判断すれば、第１支持板１１を再び所定位置に再配置する。汚れていると判断すると、第１整流機構２１を筐体１内部から取出し、別途洗浄する。第１整流機構２１は、第２支持板７１上に載置されているだけであり、容易に取外しできる。
【００７０】
また、第２支持板７１も取外し容易であり、第２支持板７１やシンク８１も適宜洗浄する。
【００７１】
〜効果〜
まず、吸引テーブルの効果について説明する。吸引テーブルを用いないで検体臓器の切り出し作業を行った場合、室内のホルムアルデヒド濃度は０．５ｐｐｍ前後となり、特にピーク時には、１．０ｐｐｍを超える濃度が測定された。
【００７２】
吸引テーブルを用いて切り出し作業を行った場合、室内のホルムアルデヒド濃度は０．０２〜０．０８ｐｐｍとなり、とくに、俎板真上３００ｍｍ位置のホルムアルデヒド濃度は、０．０３ｐｐｍ前後となり、管理基準値０．１ｐｐｍを下回った。すなわち、充分な吸引効果が確認された。
【００７３】
次に、各構成による効果について説明する。
【００７４】
第１整流機構２１の効果について説明する。第１整流機構２１がない場合、第１支持板１１上の気体を均等に吸引できない。すなわち、エリアＡに対応する通風経路長が短く、エリアＤに対応する通風経路長が長い。経路長が長くなると通風抵抗が増す。エリアＡにおける吸引力が大きく、エリアＤにおける吸引力が小さくなる。このように、第１支持板１１上の気体を均等に吸引できない。本実実施形態では、第１整流機構２１により、エリアＡ〜Ｄの有害気体を、均等に吸引することができる。
【００７５】
第２整流機構４１の効果について説明する。第２整流機構４１がない場合、風箱３１内の気体を均等に吸引できない。すなわち、排気ダクト５１に近いエリアＥに対応する通風経路長が短く、排気ダクト５１から遠いエリアＩに対応する通風経路長が長い。経路長が長くなると通風抵抗が増す。エリアＥにおける吸引力が大きく、エリアＩにおける吸引力が小さくなる。このように、風箱３１内の気体を均等に吸引できない。本実実施形態では、第２整流機構４１により、エリアＥ〜Ｉの有害気体を、均等に吸引することができる。
【００７６】
サブ吸引口３４の効果について説明する。サブ吸引口３４を用いることにより、メイン吸引口１３による下方吸引では不十分である場合にも対応できる。スライドドア３６ａ，３６ｂの開閉量を調整することで、整流機構と同様に効果を期待できる。
【００７７】
給水栓６１，第２支持板７１，シンク８１，排水トラップ８６の効果について説明する。これらの構成がない場合、切り出し作業毎に、第１支持板１１を取り外して、別の場所で洗浄する手間が掛る。これらの構成により、通常時、第１支持板１１を設置した状態で、第１支持板１１を容易に洗浄できる。
【００７８】
第１支持板１１，第１整流機構２１が取外し容易であり、第１整流機構２１が透明または半透明であることにより、経時による筐体１内部の汚れにも対応できる。
【００７９】
テーパー８の効果を説明する。突起等がないため、切り出し作業時にテーパー８が支障となることがない。一方、洗浄作業時は、テーパー８により、水が第１支持板１１外にこぼれることはない。
【００８０】
〜変形例〜
本願発明は上記実施形態に限定されるものでなく、技術思想の範囲で、種々の変形が可能である。たとえば、上記実施形態は種々の構成を備えるが、最小限の構成のみでも吸引効果は得られる。
【００８１】
図１１は、変形例の全体斜視図である。変形例は、筐体１からなる吸引台であって、メイン吸引口１３を形成する多数の通気孔１２(一部のみ図示)が全面に設けられた台天面１１と、台天面１１直下の筐体１内部空間に設けられ、台天面１１上の有害気体を下方吸引誘導する整流機構２１と、整流機構２１の風下側に連通し、外部の排風機５２と接続可能な排気ダクト５１を備える。
【００８２】
吸引台を一般的なテーブルの上に載置する。排風機５２を作動させた状態で、揮発性薬剤により固定した検体臓器の切り出し作業を行うと、検体臓器から発生する有害気体を均等に下方吸引し、排気ダクト５１より排気する。これにより、有害気体の拡散を抑制できる。
【００８３】
吸引台に脚２を取り付けて、吸引テーブルとしてもよい。
【符号の説明】
【００８４】
１  筐体
２  脚
６  係止板
７  外縁部
８  テーパー
９  位置決めストッパー
１１  第１支持板
１２  通気孔
１３  メイン吸引口
１４  係止部
１５  回転取手
２１  第１整流機構
２２〜２４  平板
２５〜２８  空間
３１  風箱
３２  上側側面部
３３  下側側面部（開口部）
３４  サブ吸引口
３６  スライドドア
３７  仕切り板
４１  第２整流機構
４２〜４５  平板
４６〜５０  空間
５１  排気ダクト
５２  排風機
５３  ダンパー
５４  測定口
６１  給水栓
７１  第２支持板
７２  通水孔
７３  脚部
８１  シンク
８２  テーパー
８６  排水トラップ
【図１】
2014040949.tif 000003
【図２】
2014040949.tif 000004
【図３】
2014040949.tif 000005
【図４】
2014040949.tif 000006
【図５】
2014040949.tif 000007
【図６】
2014040949.tif 000008
【図７】
2014040949.tif 000009
【図８】
2014040949.tif 000010
【図９】
2014040949.tif 000011
【図１０】
2014040949.tif 000012
【図１１】
2014040949.tif 000013